(57)【要約】【課題】            水作業用作業衣における縫製部（接合部）の接合強度を向上し、この縫製部で破壊および剥離が生ずることもなく、また、水の浸入も生じない、耐用年数の長い水作業用作業衣における縫製部の結合構造及びその結合方法を提供する。【解決手段】        互に接合する一方の生地と他方の生地との間に生地片が介在されて重ね合され、かつ、一方の生地の端側は内側に折り重ねて重ね合されてなり、この重ね合された互いの生地と生地片は、一方の生地の内側に折り重ねた位置において縫い付けられて縫着されると共に、生地片は他方の生地に一方の生地の側端に沿って融着され、また、この生地片は該融着ラインから一方の生地上に折り返して、その上から前記融着ラインと重なる位置に沿って折り返して重ね合った生地片同士が融着され、更に、この折り返した生地片の一方の生地上に位置する先端側が、一方の生地に融着されている。【選択図】          図３
2005200778.tif 000002
【特許請求の範囲】
【請求項１】
互に接合する一方の生地と他方の生地との間に生地片が介在されて重ね合され、かつ、一方の生地の端側は内側に折り重ねて重ね合されてなり、この重ね合された互いの生地と生地片は、一方の生地の内側に折り重ねた位置において縫い付けられて縫着されると共に、生地片は他方の生地に一方の生地の側端に沿って融着され、また、この生地片は該融着ラインから一方の生地上に折り返して、その上から前記融着ラインと重なる位置に沿って折り返して重ね合った生地片同士が融着され、更に、この折り返した生地片の一方の生地上に位置する先端側が、一方の生地に融着されていることを特徴とする水作業用作業衣における縫製部の結合構造。
【請求項２】
互に接合する一方の生地と他方の生地との間に生地片を介在させて重ね合せ、かつ、一方の生地の端側を内側に折り重ねて重ね合せ、この重ね合わせた互いの生地と生地片を、一方の生地の内側に折り重ねた位置においてミシンで縫い付け縫着し、次に、この縫着した生地片を、他方の生地に一方の生地の側端に沿ってウエルダーにより融着し、次に、この生地片を該融着したラインから一方の生地上に折り返し、その上から前記融着ラインと重なる位置に沿って折り返して重なり合った生地片同士をウエルダーにより融着し、更に、この折り返した生地片の一方の生地上に位置する先端側を、ウエルダーにより一方の生地に融着することを特徴とする水作業用作業衣における縫製部の結合方法。
【発明の詳細な説明】
【技術分野】
【０００１】
この発明は、漁師や水産関係業者及び農業、土木工事など、水に濡れる作業に従事する者が着用する水作業用作業衣における縫製部の結合技術に関する。
【背景技術】
【０００２】
漁師や水産関係業者などの水に濡れる作業に従事する者が着用する作業衣は、水作業をするため防水性の生地、例えば、ゴムや合成樹脂製の不織布及び基布に合成樹脂を塗布した布などが使用されるし、縫製部も水の浸入が防止される構造が求められる。従って、水作業用作業衣の縫製部は、接着や融着の結合が多い。
例えば、漁師や水産関係業者などの水に濡れる作業に従事する者が着用する作業衣としてオーバーズボンがある。このオーバーズボンは、従来、図９（ａ）（ｂ）に示すようなズボン１１と、胸当て部１２と、１対の肩かけベルト１３とで構成されている形態が一般的であり、ズボン１１には膝当て部１４が設けられているものも多い。図９（ａ）は正面を示し、（ｂ）は背面を示しているが、このようなオーバーズボンも生地を裁断し縫製して製造するため、縫製部１０が生ずる。この縫製部１０の結合構造は、従来、接着や融着が多い（例えば、特許文献１、２及び３参照）。
特許文献１には、裁ち布を高周波ウエルダーによって融着し接合することが記載され、特許文献２には、裁断した布帛片を融着して接合することが記載され、特許文献３には、ホットメルト接着材で接合することが記載されている。
【特許文献１】実開昭６１−１２０７１２号公報
【特許文献２】実開昭６２−１５７９０９号公報
【特許文献３】特開２０００−６３７７５号公報
【発明の開示】
【発明が解決しようとする課題】
【０００３】
しかしながら、従来の水作業用作業衣における縫製部（接合部）の結合構造は、単に融着したり接着するだけなので、接合強度（結合強度）が不充分となり、この部分で破壊および剥離がおこり易く、特に、この種作業衣のズボンは、作業の性質上、立ったり座ったり及び屈んだりするため、伸縮を繰り返すし接合部には大きな引張力が作用するので、縫製部の接合強度が不足すると、この部分での破壊および剥離が生じやすい。また、この種の作業衣では、少しの破壊および剥離でも水が侵入するようになるので使用できなくなり、耐用年数が短くなる。
この発明は、このような点に鑑み水作業用作業衣における縫製部（接合部）の接合強度を向上し、この縫製部で破壊および剥離が生ずることもなく、また、水の浸入も生じない、耐用年数の長い水作業用作業衣における縫製部の結合構造及びその結合方法の提供を課題とする。
【課題を解決するための手段】
【０００４】
前記課題を解決するため、この発明の水作業用作業衣における縫製部の結合構造は、互に接合する一方の生地と他方の生地との間に生地片が介在されて重ね合され、かつ、一方の生地の端側は内側に折り重ねて重ね合されてなり、この重ね合された互いの生地と生地片は、一方の生地の内側に折り重ねた位置において縫い付けられて縫着されると共に、生地片は他方の生地に一方の生地の側端に沿って融着され、また、この生地片は該融着ラインから一方の生地上に折り返して、その上から前記融着ラインと重なる位置に沿って折り返して重ね合った生地片同士が融着され、更に、この折り返した生地片の一方の生地上に位置する先端側が、一方の生地に融着されていることを特徴とする。
この発明で使用する生地および生地片の材質は、防水性のもので互に融着可能なものである。
これにより互に接合する生地および生地片が縫い付けられて縫着されると共に、互に接合する生地は生地片を介して融着されているので縫製部の接合（結合）強度が向上し、破壊及び剥離などが生じない。また、縫製部は外側から融着した生地片でシールされるので、この部分から水が浸入することもない。
【０００５】
また、この発明の水作業用作業衣における縫製部の結合方法は、互に接合する一方の生地と他方の生地との間に生地片を介在させて重ね合せ、かつ、一方の生地の端側を内側に折り重ねて重ね合せ、この重ね合わせた互いの生地と生地片を、一方の生地の内側に折り重ねた位置においてミシンで縫い付け縫着し、次に、この縫着した生地片を、他方の生地に一方の生地の側端に沿ってウエルダーにより融着し、次に、この生地片を該融着したラインから一方の生地上に折り返し、その上から前記融着ラインと重なる位置に沿って折り返して重なり合った生地片同士をウエルダーにより融着し、更に、この折り返した生地片の一方の生地上に位置する先端側を、ウエルダーにより一方の生地に融着することを特徴とする。
これにより生地と生地とが生地片を介在させて縫着され、この生地片は縫着ラインを中心にその両側が一方の生地と他方の生地に融着した縫製部の結合構造を容易に形成することができるし、この結合方法は、このような結合構造の形成に好ましい有効な方法である。
【発明の効果】
【０００６】
この発明の水作業用作業衣における縫製部の結合構造によれば、次のような効果を奏する。
（１）互に接合する生地及び生地片は、重ね合されて縫い付けられて縫着されると共に、互に接合する生地は生地片を介して融着されているので、縫製部の接合（結合）強度が向上し、破壊および剥離などが生ずることなく耐用年数も長くなる。
（２）生地片は縫着ラインを中心にその両側が一方の生地と他方の生地に融着されているので、縫製部は外側から生地片でシールされる。従って、強固で水密性の高いシール構造となり、この部分から水が浸入することもない。
【０００７】
また、この発明の水作業用作業衣における縫製部の結合方法によれば、一方の生地と他方の生地とを生地片を介在させて縫着し、この生地片は縫着ラインを中心にその両側が一方の生地と他方の生地に融着した縫製部の結合構造を容易に形成することができる。
更に、この発明の結合方法は、このような結合構造の形成に好ましい有効な方法である。
【発明を実施するための最良の形態】
【０００８】
この発明をより詳細に説明するために、図面に示す実施の形態について説明する。図１はオーバーズボンを示す斜視図、図２は図１のオーバーズボンの縫製部を拡大して示す部分斜視図、図３は図２のＡ部の拡大斜視図であり、図９に示す従来例と同一構成要素には同一符号が付してある。
【０００９】
この実施の形態では、水作業用作業衣としてオーバーズボンを示している。このオーバーズボンは、ズボン１１と、胸当て部および背当て部１２と、１対の肩かけベルト１３とで構成されており、ズボン１１には膝当て部１４が設けられている。このオーバーズボンは、図３に示すように裁断された生地１および２を、縫製部１０で結合して形成される。
図３は、縫製部１０を拡大して示している。この縫製部１０は、同図に示すように互に接合される生地１と生地２との間に生地片３が介在されて重ね合され、かつ、一方の生地１の端側は内側に折り重ね１ａで重ね合されてなり、この重ね合された互いの生地１、２と生地片３は、一方の生地の内側に折り重ねた位置１ａにおいて縫い付けられて縫着４（図５参照）されていると共に、生地片３は他方の生地２に一方の生地１の側端１ｂに沿って融着５（図６参照）されている。
【００１０】
この生地片３は該融着５のラインから一方の生地１上に折り返して、その上から前記融着５のラインと重なる位置に沿って折り返して重ね合った生地片３、３同士が融着６されている。また、この折り返した生地片３の一方の生地１上に位置する先端側が、一方の生地１に融着７されている。
【００１１】
しかして、この縫製部１０の結合構造では、生地１、２および生地片３が縫着４されていると共に、生地片３は、まず他方の生地２に融着５され、更に、生地片３は生地１、２および生地片３が重ね合されて縫着４されたラインを中心にその両側が一方の生地１と他方の生地２に融着６、７されている。従って、縫製部１０の結合（接合）強度が向上し、この部分での破壊および剥離などが生じない。また、立ったり座ったり及び屈んだりして伸縮を繰り返す使用をしても、充分な強度であり長期の使用に耐えることができる。しかも縫製部１０は生地片３にて強固に水密性が高くシールされるので、この部分で水が浸入することもない。
【００１２】
次に、前記のような縫製部１０の結合方法を説明する。図４乃至図８は、縫製部の結合方法を工程順に示す説明斜視図である。
まず、図４に示すように互に接合する一方の生地１と他方の生地２との間に生地片３を介在させて重ね合わせる。この時、一方の生地１の側端は、内側に折り曲げて折り重ね１ａて重ね合わせる。生地１および２は、水作業用作業衣の形態に対応して裁断されたものであり、生地片３は、縫製ラインに添うことができる帯状体に形成されている。この生地１および２は、防水性のものであり、従来公知のものを採用し得るが、互に融着可能なものが選択される。生地片３も防水性のものであり、生地１、２と同じ材質であっても、異なったものでもよいが、生地１、２と融着可能なものである。
【００１３】
次に、図５に示すように重ね合わせた互いの生地１、２と生地片３を、一方の生地１の内側に折り重ねた位置１ａにおいてミシン（図示省略）で縫い付け縫着４する。次に、図６に示すようにこの縫着４した生地片３を、一方の生地１の側端１ｂに沿って他方の生地２に高周波ウエルダー８によって融着５する。次に、図６に示すように前記生地片３を、融着５したラインから一方の生地１上に折りして重ねる。図６では生地片３を折り返す様子を鎖線で示している。
【００１４】
次に、この一方の生地１上に折り返して重ねた生地片３は、図７に示すように前記融着ライン５と重なる位置に沿って、折り返して重なり合った生地片３、３同士を高周波ウエルダー８によって融着６する。これによって他方の生地２と生地片３は融着して互に結合される。最後に、図８に示すようにこの折り返した生地片３の一方の生地１上に位置する先端側を、高周波ウエルダー８により一方の生地１に融着する。これにより一方の生地１と生地片３とが融着して互に結合され、図３に示すような縫製部１０の結合構造が完成する。その後、生地片３の端末および生地１、２と生地片３との積層した端末の端末処理を行ってもよい。
【００１５】
なお、前記実施の形態は、この発明を制限するものではなく、この発明は要旨を逸脱しない範囲内において種々の変形が許容される。例えば、縫製部１０は、直線状だけでなく曲線状でも、折り曲っていてもよいものである。
【産業上の利用可能性】
【００１６】
この発明は、漁師や水産関係業者が使用する作業衣ばかりでなく、農業や土木工事などの水に濡れる作業に従事する者が着用する水作業用作業衣にも広く適用可能である。
【図面の簡単な説明】
【００１７】
【図１】この発明の実施の形態のオーバーズボンを示す斜視図である。
【図２】図１のオーバーズボンの縫製部を拡大して示す部分斜視図である。
【図３】図２のＡ部の拡大斜視図である。
【図４】この発明の縫製部の結合方法を示す斜視図である。
【図５】この発明の縫製部の結合方法の次の工程を示す斜視図である。
【図６】この発明の縫製部の結合方法の更に次の工程を示す斜視図である。
【図７】この発明の縫製部の結合方法のまた更に次の工程を示す斜視図である。
【図８】この発明の縫製部の結合方法のまた更に次の工程を示す斜視図である。
【図９】従来のオーバーズボンを示す正面図（ａ）および背面図（ｂ）である。
【符号の説明】
【００１８】
１  一方の生地
２  他方の生地
３  生地片
４  縫着
５、６、７  融着
８  高周波ウエルダー
１０  縫製部
【図１】
2005200778.tif 000003
【図２】
2005200778.tif 000004
【図３】
2005200778.tif 000005
【図４】
2005200778.tif 000006
【図５】
2005200778.tif 000007
【図６】
2005200778.tif 000008
【図７】
2005200778.tif 000009
【図８】
2005200778.tif 000010
【図９】
2005200778.tif 000011